(57)【要約】【課題】主に各種電子機器の操作に用いられるリモコン送受信装置に関し、誤操作がなく、確実な操作が可能なものを提供することを目的とする。【解決手段】送信側アドレスコードＡを送信するリモコン送信機１６から、所定の操作によって受信側アドレスコードＤも送信された場合にのみ、リモコン受信機１８から認証コードＢが返信されるようにリモコン送受信装置を構成することによって、リモコン送信機１６とリモコン受信機１８をペアリングする際、誤って複数のリモコン受信機のペアリング設定用の操作キーが操作されていた場合でも、リモコン送信機１６から送信された受信側アドレスコードＤによって、この受信側アドレスコードＤをもったリモコン受信機１８からのみ認証コードＢが返信され、ペアリングが行われるため、誤設定がなく、確実な操作が可能なリモコン送受信装置を得ることができる。【選択図】図１
2010021815.tif 000002
【特許請求の範囲】
【請求項１】
所定の操作に応じて送信側アドレスコードを送信するリモコン送信機と、この送信側アドレスコードに応じて認証コードを返信するリモコン受信機からなり、上記リモコン送信機から所定の操作によって受信側アドレスコードも送信された場合にのみ、上記リモコン受信機から認証コードが返信されるリモコン送受信装置。
【発明の詳細な説明】
【技術分野】
【０００１】
本発明は、主に各種電子機器の遠隔操作に用いられるリモコン送受信装置に関するものである。
【背景技術】
【０００２】
近年、テレビやビデオ、エアコン等の各種電子機器の高機能化が進むなか、これらを遠隔操作するリモコン送受信装置においても、発光ダイオード等を用いた赤外線によって操作を行うものに加え、離れた位置や家具等の遮蔽物があった場合でも確実な操作が可能なように、電波を用いたものが多く用いられるようになっている。
【０００３】
このような従来のリモコン送受信装置について、図５及び図６を用いて説明する。
【０００４】
図５は従来のリモコン送受信装置の斜視図であり、同図において、１は略箱状で絶縁樹脂製のケースで、このケース１上面には、下方にスイッチ接点が設けられた複数の操作キー２Ａや２Ｂが上下動可能に突出して、操作手段２が形成されている。
【０００５】
そして、ケース１内には上下面に複数の配線パターンが形成された配線基板（図示せず）が収納され、この配線基板の上下面に実装されたアンテナ等によって送信手段３や受信手段４、マイコン等の電子部品によって制御手段５が各々形成されて、リモコン送信機６が構成されている。
【０００６】
また、７はテレビやビデオ等の電子機器で、この前面にはブラウン管や液晶表示素子等によって表示手段８が形成されると共に、アンテナ等の送信手段９や受信手段１０、マイコン等の制御手段１１から形成された、リモコン受信機１２が収納されている。
【０００７】
さらに、リモコン受信機１２には後方にスイッチ接点が形成された複数の操作キー１３Ａや１３Ｂ等の操作手段１３が設けられ、このリモコン受信機１２とリモコン送信機６によって、リモコン送受信装置が構成されている。
【０００８】
なお、このような電波を用いて遠隔操作を行うリモコン送受信装置の場合、赤外線方式のもの等に比べ通信範囲が広く、室内に置かれた他の機器、あるいは他の部屋の機器にまで電波が届き、意図しない機器まで誤操作してしまうことを防ぐため、使用前に、一組のリモコン送信機６とリモコン受信機１２のみがペアとして操作可能となる設定、いわゆるペアリングが一般的に行われている。
【０００９】
つまり、以上の構成において、先ず初めに、リモコン受信機１２のペアリング設定用の所定の操作キー、例えば操作キー１３Ａを押圧操作すると、この後方のスイッチ接点の電気的接離が行われ、これを制御手段１１が検出して、リモコン受信機１２がペアリング設定状態となる。
【００１０】
また、この状態で、リモコン送信機６を電子機器７に向けて、ペアリング設定用の所定の操作キー、例えば操作キー２Ａを押圧操作すると、この下方のスイッチ接点の電気的接離が行われ、これを制御手段５が検出して、図６（ａ）の信号構成図に示すような、リモコン送信機６毎に独自に設定された送信側アドレスコードＡからなるリモコン信号が、送信手段３から電波として送信される。
【００１１】
そして、このリモコン信号をリモコン受信機１２の受信手段１０が受信すると、図６（ｂ）に示すような、送信側アドレスコードＡに、制御手段１１が予め独自に記憶した認証コードＢが付加されたリモコン信号が、送信手段９から電波としてリモコン送信機６へ返信され、この認証コードＢを制御手段５が記憶することによって、リモコン送信機６とリモコン受信機１２が一組のペアとして操作可能となる設定、いわゆるペアリングが行われる。
【００１２】
また、このようにペアリング設定を終了した後、リモコン送信機６によって電子機器７の通常の遠隔操作を行う場合には、操作手段２の複数の操作キーのうち、例えば電源の入／切や選局の切換え等の操作キーを押圧操作すると、図６（ｃ）に示すように、電源の入／切や選局の切換えといった操作コードＣの後に、認証コードＢが付加されたリモコン信号が、リモコン送信機６からリモコン受信機１２へ送信される。
【００１３】
そして、リモコン受信機１２の制御手段１１が、このリモコン信号の認証コードＢが予め自らに記憶されたものと同一であるか否かを判定し、一致した場合には、操作コードＣに応じた電子機器７の様々な操作、例えば電源の入／切や選局の切換え等の操作が行われるが、認証コードＢが異なる場合には、電子機器７の遠隔操作が行われないようになっている。
【００１４】
つまり、最初に一組のリモコン送信機６とリモコン受信機１２を、上記のような操作を行ってペアリングし、各々の制御手段５と制御手段１１が記憶した認証コードＢが同一である組み合わせのもののみが、遠隔操作可能なように設定することによって、リモコン信号に比較的遠方まで届く電波を用いた場合でも、他のペアリングされていない機器が誤操作されることがないように構成されているものであった。
【００１５】
なお、この出願の発明に関連する先行技術文献情報としては、例えば、特許文献１が知られている。
【特許文献１】特開２００５−３２８２４４号公報
【発明の開示】
【発明が解決しようとする課題】
【００１６】
しかしながら、上記従来のリモコン送受信装置においては、一組のリモコン送信機６とリモコン受信機１２をペアリングする際、万が一誤って室内に置かれた他の機器、あるいは他の部屋の機器のペアリング設定用の操作キー１３Ａが押圧操作されていた場合、一つのリモコン送信機６から送信されたペアリング用のリモコン信号に対し、複数の機器のリモコン受信機１２から各々異なる認証コードＢが返信されてしまうため、誤ったペアリング設定が行われてしまう場合があるという課題があった。
【００１７】
本発明は、このような従来の課題を解決するものであり、誤設定を防ぎ、確実な操作が可能なリモコン送受信装置を提供することを目的とする。
【課題を解決するための手段】
【００１８】
上記目的を達成するために本発明は、送信側アドレスコードを送信するリモコン送信機から、所定の操作によって受信側アドレスコードも送信された場合にのみ、リモコン受信機から認証コードが返信されるようにしてリモコン送受信装置を構成したものであり、リモコン送信機とリモコン受信機をペアリングする際、誤って複数のリモコン受信機のペアリング設定用の操作キーが操作されていた場合でも、リモコン送信機から送信された受信側アドレスコードによって、この受信側アドレスコードをもったリモコン受信機からのみ認証コードが返信され、ペアリングが行われるため、誤設定がなく、確実な操作が可能なリモコン送受信装置を得ることができるという作用を有するものである。
【発明の効果】
【００１９】
以上のように本発明によれば、誤操作がなく、簡易で確実な操作が可能なリモコン送信機を実現できるという有利な効果が得られる。
【発明を実施するための最良の形態】
【００２０】
以下、本発明の実施の形態について、図１〜図４を用いて説明する。
【００２１】
なお、背景技術の項で説明した構成と同一構成の部分には同一符号を付して、詳細な説明を簡略化する。
【００２２】
（実施の形態）
図１は本発明の一実施の形態によるリモコン送受信装置のブロック回路図、図２は同斜視図であり、同図において、１は略箱状でポリスチレンやＡＢＳ等の絶縁樹脂製のケースで、このケース１上面には、下方にスイッチ接点が設けられたゴムや絶縁樹脂製の複数の操作キー２Ａや２Ｂが、上下動可能に突出して操作手段２が形成されている。
【００２３】
そして、ケース１内には上下面に銅箔等によって複数の配線パターンが形成された、紙フェノールやガラス入りエポキシ等の配線基板（図示せず）が収納されると共に、この配線基板の上下面に実装されたアンテナ等によって送信手段３や受信手段４、マイコン等の電子部品によって制御手段１５が各々形成されて、リモコン送信機１６が構成されている。
【００２４】
また、７はテレビやビデオ等の電子機器で、この前面にはブラウン管や液晶表示素子等によって表示手段８が形成されると共に、アンテナ等の送信手段９や受信手段１０、マイコン等の制御手段１７から形成された、リモコン受信機１８が収納されている。
【００２５】
さらに、リモコン受信機１８には後方にスイッチ接点が形成された複数の操作キー１３Ａや１３Ｂ等の操作手段１３が設けられ、このリモコン受信機１８とリモコン送信機１６によって、リモコン送受信装置が構成されている。
【００２６】
そして、このような電波を用いて遠隔操作を行うリモコン送受信装置の場合、赤外線方式のもの等に比べ通信範囲が広く、室内に置かれた他の機器、あるいは他の部屋の機器にまで電波が届き、意図しない機器まで誤操作してしまうことを防ぐため、使用前に、一組のリモコン送信機１６とリモコン受信機１８のみがペアとして操作可能となる設定、いわゆるペアリングが一般的に行われている。
【００２７】
つまり、以上の構成において、先ず初めに、リモコン受信機１８のペアリング設定用の所定の操作キー、例えば操作キー１３Ａを押圧操作すると、この後方のスイッチ接点の電気的接離が行われ、これを制御手段１７が検出して、リモコン受信機１８がペアリング設定状態となる。
【００２８】
また、この時、リモコン送信機１６の操作手段２の複数の操作キーで、ペアリングを行おうとする電子機器７のリモコン受信機１８に固有の、予め決められた例えば４桁〜９桁の識別番号を押圧操作すると、この下方のスイッチ接点の電気的接離が行われ、この識別番号を制御手段１５が検出する。
【００２９】
さらに、この後、リモコン送信機１６を電子機器７に向けて、ペアリング設定用の所定の操作キー、例えば操作キー２Ａを押圧操作すると、これを制御手段１５が検出して、図３（ａ）の信号構成図に示すような、先程検出したリモコン受信機１８毎に固有の識別番号の受信側アドレスコードＤと、リモコン送信機１６毎に独自に設定された送信側アドレスコードＡから形成されたリモコン信号が、送信手段３から電波として送信される。
【００３０】
また、このリモコン信号をリモコン受信機１８の受信手段１０が受信すると、制御手段１７がこの受信側アドレスコードＤと、予め記憶した自らの識別番号とを比較し、これが一致した場合には、図３（ｂ）に示すような、送信側アドレスコードＡに、制御手段１７が予め記憶した認証コードＢが付加されたリモコン信号が、送信手段９から電波としてリモコン送信機１６へ返信される。
【００３１】
そして、この認証コードＢを制御手段１５が記憶すると共に、図３（ｃ）に示すような、確認コードＥがリモコン送信機１６から送信され、これをリモコン受信機１８が受信して、リモコン送信機１６とリモコン受信機１８が一組のペアとして操作可能となる設定、いわゆるペアリングが終了する。
【００３２】
なお、このような一組のリモコン送信機１６とリモコン受信機１８のペアリングを行う際、誤って室内に置かれた他の機器、あるいは他の部屋の機器のペアリング設定用の操作キー１３Ａが押圧操作されていた場合には、ペアリングしようとする電子機器７以外の複数の機器にも、リモコン送信機１６からのリモコン信号が送信され、これを各々の機器が受信するが、受信側アドレスコードＤが自らの識別番号とは異なっていることを、各々の機器の制御手段が判別する。
【００３３】
したがって、これらの識別番号が受信側アドレスコードＤと異なる機器からは、各々の認証コードＢは返信されず、受信側アドレスコードＤと識別番号が同一の電子機器７のリモコン受信機１８からのみ、上記のように、認証コードＢがリモコン送信機１６へ送信されて、ペアリングが行われる。
【００３４】
つまり、リモコン送信機１６とリモコン受信機１８のペアリング時には、リモコン送信機１６から送信側アドレスコードＡに加え、操作手段２の所定の操作によって、電子機器７のリモコン受信機１８に固有の識別番号を受信側アドレスコードＤとして送信すると共に、この受信側アドレスコードＤをリモコン受信機１８が受信した場合にのみ、認証コードＢがリモコン送信機１６へ返信されるように構成されている。
【００３５】
したがって、上記のように、誤って他の機器のペアリング設定用の操作キー１３Ａが操作されていた場合でも、これらの機器からは認証コードＢは返信されず、受信側アドレスコードＤと一致する識別番号をもった電子機器７からのみ、認証コードＢがリモコン送信機１６へ返信されて、ペアリングが行われるため、誤設定がなく、確実な操作を実現することが可能なようになっている。
【００３６】
また、このようにペアリング設定を終了した後、リモコン送信機１６によって電子機器７の通常の遠隔操作を行う場合には、操作手段２の複数の操作キーのうち、例えば電源の入／切や選局の切換え等の操作キーを押圧操作すると、図３（ｄ）に示すように、電源の入／切や選局の切換えといった操作コードＣの後に、認証コードＢが付加されたリモコン信号が、リモコン送信機１６からリモコン受信機１８へ送信される。
【００３７】
そして、リモコン受信機１８の制御手段１７が、このリモコン信号の認証コードＢが予め自らに記憶されたものと同一であるか否かを判定し、一致した場合には、操作コードＣに応じた電子機器７の様々な操作、例えば電源の入／切や選局の切換え等の操作が行われ、図３（ｃ）に示したような、確認コードＥがリモコン送信機１６に返信されるが、認証コードＢが異なる場合には、電子機器７の遠隔操作は行われないようになっている。
【００３８】
つまり、最初に一組のリモコン送信機１６とリモコン受信機１８を、上記のような操作を行ってペアリングし、各々の制御手段１５と制御手段１７が記憶した認証コードＢが同一である組み合わせのもののみを、遠隔操作可能なように設定することによって、リモコン信号に比較的遠方まで届く電波を用いた場合でも、他のペアリングされていない機器が誤操作されることがないように構成されている。
【００３９】
なお、以上のように設定されたリモコン送信機１６とリモコン受信機１８のペアリングを取り消す場合には、先ず、図２に示す、リモコン受信機１８のペアリング解除用の所定の操作キー、例えば操作キー１３Ｂを押圧操作すると、この後方のスイッチ接点の電気的接離が行われ、これを制御手段１７が検出して、リモコン受信機１８がペアリング解除状態となる。
【００４０】
また、ペアリング設定時と同様に、操作手段２の複数の操作キーで電子機器７の識別番号を押圧操作した後、リモコン送信機１６を電子機器７に向けて、ペアリング解除用の所定の操作キー、例えば操作キー２Ｂを押圧操作すると、これらの操作を制御手段１５が検出し、図４（ａ）の信号構成図に示すような、リモコン受信機１８毎の受信側アドレスコードＤと認証コードＢから形成されたリモコン信号が、送信手段３から電波として送信される。
【００４１】
そして、このリモコン信号をリモコン受信機１８の受信手段１０が受信し、制御手段１７がこれを判別して、以降は操作コードＣの後に認証コードＢが付加されたリモコン信号を受信した場合にも、電子機器７の様々な操作を行わないように設定を変更すると共に、図４（ｂ）に示すような、確認コードＥをリモコン送信機１６へ返信して、ペアリングの取り消しが終了する。
【００４２】
なお、以上の説明では、リモコン送信機１６とリモコン受信機１８のペアリング設定や取り消しを行う際、リモコン受信機１８の操作キー１３Ａ、あるいは操作キー１３Ｂを押圧操作した後、ペアリングの設定や解除を行う構成として説明したが、これに代えて、例えば、ペアリング設定時には操作手段２で「＊＊」と押圧操作した後、解除時には「＃＃」と押圧操作した後、各々識別番号を押圧操作し、操作キー２Ａや２Ｂでペアリング設定や取り消しを行う構成とすれば、操作キー１３Ａや１３Ｂの操作が不要となるため、リモコン送信機１６側からの操作のみでペアリングの設定や解除が可能となる。
【００４３】
このように本実施の形態によれば、送信側アドレスコードＡを送信するリモコン送信機１６から、所定の操作によって受信側アドレスコードＤも送信された場合にのみ、リモコン受信機１８から認証コードＢが返信されるようにリモコン送受信装置を構成することによって、リモコン送信機１６とリモコン受信機１８をペアリングする際、誤って複数のリモコン受信機のペアリング設定用の操作キー１３Ａが操作されていた場合でも、リモコン送信機１６から送信された受信側アドレスコードＤにより、この受信側アドレスコードＤをもったリモコン受信機１８からのみ認証コードＢが返信され、ペアリングが行われるため、誤設定がなく、確実な操作が可能なリモコン送受信装置を得ることができるものである。
【００４４】
なお、以上の説明では、説明を判り易くするため、受信側アドレスコードＤと送信側アドレスコードＡ、あるいは操作コードＣと認証コードＢというように、リモコン信号として一つまたは二つのコードが、リモコン送信機１６とリモコン受信機１８の間で送受信される構成として説明したが、実際にはこれらに機器やモデル毎に決められたヘッダコード等を付加したリモコン信号を用いて、送受信することが一般的には行われている。
【産業上の利用可能性】
【００４５】
本発明によるリモコン送受信装置は、誤操作がなく、確実な操作が可能なものが得られ、主に各種電子機器の操作用として有用である。
【図面の簡単な説明】
【００４６】
【図１】本発明の一実施の形態によるリモコン送受信装置のブロック回路図
【図２】同斜視図
【図３】同信号構成図
【図４】同信号構成図
【図５】従来のリモコン送受信装置の斜視図
【図６】同信号構成図
【符号の説明】
【００４７】
１  ケース
２  操作手段
２Ａ、２Ｂ  操作キー
３  送信手段
４  受信手段
７  電子機器
８  表示手段
９  送信手段
１０  受信手段
１３  操作手段
１３Ａ、１３Ｂ  操作キー
１５  制御手段
１６  リモコン送信機
１７  制御手段
１８  リモコン受信機
【図１】
2010021815.tif 000003
【図２】
2010021815.tif 000004
【図３】
2010021815.tif 000005
【図４】
2010021815.tif 000006
【図５】
2010021815.tif 000007
【図６】
2010021815.tif 000008